(57)【要約】【課題】ユニットによる組み方のパターンを多様化することができ且つユニットの組み方の変更およびユニットの追加を可能とすることで建築空間の表現を多様化する。【解決手段】完成したユニット毎に現場に運搬して設置することを可能としたユニットハウス組立構造１において、直方体骨組構造によるレギュラーユニット２、立方体骨組構造によるハーフユニット３、矩形骨組構造によるアイパネルユニット４、該アイパネルユニット４をＬ字状に連結したエルパネルユニット５それぞれをユニットハウス組立構造１の構成要素とする。また、アンカーボルト誤差調整金具１０は、基礎Ｐ上のアンカーボルトＱをガタ付きをもたせて挿通可能とする孔を穿設した座面部１２と、ユニットハウスの角筒柱６内に隙間を有して挿入可能とし、柱６の側面の孔６Ａを介してボルト１６で固定するようネジ孔付き挿入筒部１１とを備える。【選択図】図３
2007120100.tif 000002
【特許請求の範囲】
【請求項１】
完成したユニット毎に現場に運搬して設置することを可能としたユニットハウス組立構造であって、直方体骨組構造によるレギュラーユニット、立方体骨組構造によるハーフユニット、矩形骨組構造によるアイパネルユニット、該アイパネルユニットをＬ字状に連結したエルパネルユニットそれぞれをユニットハウス組立構造の構成要素としたことを特徴とするユニットハウス組立構造。
【請求項２】
前記各ユニットに対し切り離し可能な屋根パネルを含む請求項１記載のユニットハウス組立構造。
【請求項３】
前記構成要素として、エルパネルユニットにアイパネルユニットを連結した複合パネルユニットを含む請求項１または２記載のユニットハウス組立構造。
【請求項４】
前記構成要素として、円柱体骨組構造による円柱ユニットを含む請求項１乃至３のいずれか記載のユニットハウス組立構造。
【請求項５】
基礎上に植設されたアンカーボルトを任意のガタ付きをもたせて挿通可能とする孔を穿設した座面部と、ユニットハウスの角筒状の柱部分内に任意の隙間を有して挿入可能とし、柱部分の側面に形成された孔を介してボルトをねじ込ませて固定されるようネジ孔を有する挿入筒部とを備えたことを特徴とするユニットハウス組立構造に使用するアンカーボルト誤差調整金具。
【請求項６】
基礎上に植設されたアンカーボルトを、該アンカーボルトの外径よりも若干大きめとなるように穿設した有底マス状のアンカーボルト誤差調整金具の座面部の孔に挿入し、該アンカーボルト誤差調整金具自体をアンカーボルト位置に対し基礎上で横スライドさせながら座面部を位置決めしてからナットをアンカーボルトにねじ込んでアンカーボルト誤差調整金具を基礎上に締付固定すると共に、レギュラーユニット、ハーフユニット、アイパネルユニット、エルパネルユニットそれぞれを組み合わせることで形成されたユニットハウスの角筒状の柱部分内に、有底マス状のアンカーボルト誤差調整金具の挿入筒部を挿入し、柱部分側面からアンカーボルト誤差調整金具の挿入筒部にかけてボルトをねじ込ませるものとすることを特徴としたアンカーボルト誤差調整金具を使用したユニットハウス組立構造の設置方法。
【発明の詳細な説明】
【技術分野】
【０００１】
本発明は、本設もしくは仮設としての例えば住宅、事務所、店舗、倉庫等を建造するに際し、完成したユニット毎に現場に運搬して設置することを可能としたユニットハウス組立構造とこれに使用するアンカーボルト誤差調整金具およびアンカーボルト誤差調整金具を使用したユニットハウス組立構造の設置方法に関する。
【背景技術】
【０００２】
従来、ユニットハウスの販売元は、所定の期間だけ設置される例えばモデルハウス、仮設住宅、仮設店舗等を提供することが主たる業務であり、特に工事現場のレンタル用途がメインとなっている。このようなユニットハウスを製造する場合、先ず軽量な鉄骨フレームを溶接により接合して直方体骨組構造体を作り、その直方体骨組構造体の鉄骨フレームに、例えば外壁、内壁、サッシ等の各種建材、さらには電気配線や浄化排水設備等を取り付ける。このような直方体骨組構造体を製造する主な作業は工場で行ない、完成したユニット毎に現場に運搬して設置するのである。
【０００３】
このようなユニットハウスを仮設の例えばミニショップ、物置、現場事務所等として使用する場合には、設置面積が１０平方メートル未満の建物に制限されているため建築確認申請が不要である。一方、ユニットハウスを本設としての例えば住宅、事務所、店舗、倉庫等に使用する場合には、然るべき構造計算を済ませた後に建築確認申請を行なう必要がある。このようにユニット工法で本設住宅を建築する住宅専業メーカが数多く存在する。  
【０００４】
また、現場では本設住宅用として１ユニットで利用する場合と、２ユニット以上の複数を連結して利用する場合があり、例えば１ユニットで利用する場合の大きさは、トラックに積載可能で且つ車両の運行上支障のない、例えば幅員２．４ｍ以内、長さ９ｍ以内、高さ３ｍ以内の大きさに限定されている。
【０００５】
さらに、従来におけるユニットハウスでない通常の建物は、コンクリートの基礎上に埋め込んだアンカーボルトに対して柱を立て、その柱に梁をボルトで連結するのであるが、基礎を形成するコンクリートはその性質上、あるいは建築作業者の技術の優劣等によって建築設計図面と寸分たがわず施工するのは不可能である。例えば、鉄骨の溶接においても鉄の性質や溶接時の熱によって多少のズレが生じやすい。ただし、建築製造物には許容誤差があって、仮に建築設計図面と比較して許容誤差の範囲内であれば、上記したアンカーボルトに対しての柱の立設、および柱に対する梁のボルトを介しての連結の段階で適宜調整を行なえば良いものとされている。
【特許文献１】特に無し
【発明の開示】
【発明が解決しようとする課題】
【０００６】
しかしながら、従来のユニットハウスを本設としての例えば住宅、事務所、店舗、倉庫等に使用する場合には、上記した直方体骨組構造体を１ユニットで使用する以外に、直方体骨組構造体の複数ユニットを任意に組み合わせて使用することも要求されるのであるが、もともと直方体骨組構造体自体の形状が任意に変えられないため、当該ユニットによる組み方のパターン自体がごく少数なものに限られてしまい、建築空間の表現が乏しいものとなっているのが実状である。
【０００７】
また、従来におけるユニットハウスでない通常の建物は、建築設計図面と比較して許容誤差の範囲内であれば、上記したアンカーボルトに対しての柱の立設、および柱に対する梁のボルトを介しての連結の段階で適宜調整を行なえば良いものとされている。しかしながら、ユニットハウスの場合には、製造工場における溶接作業でもってかなり精度良く直方体骨組構造体に作製してしまうため、基礎上に埋め込まれたアンカーボルトの仕上がり位置がかなり精度良く決められていないと、アンカーボルトと鉄骨フレームに開けた孔とが合致しないことが頻繁に発生してしまう。しかも従来のユニットハウスでは、いったん取り付けた屋根パネルは離脱不可能な構造となっているため、ユニットの組み変えや追加も困難である。
【０００８】
例えば、ユニットハウスの矩形状に組み込まれた土台梁部分の四隅に孔を開け、土台梁に対応してコンクリートの打設による矩形状の基礎上の四隅に植設したアンカーボルトをこれら孔に通した場合、これらの孔のうち少なくとも１つの孔にアンカーボルトが入らなくなる場合があるため、ユニットの組立時の作業性が劣るものとなる。尚、ユニットハウスの土台梁部分と柱部分との接合部分、あるいは一方のユニットハウスの梁部分とこれに組み合わされる他方のユニットハウスの柱部分との接合部分においても上記と同様な弊害が生じる。
【０００９】
そこで、本発明は、叙上のような従来存した諸事情に鑑み創出されたもので、ユニットハウスを本設もしくは仮設としての例えば住宅、事務所、店舗、倉庫等に使用する場合において、ユニットによる組み方のパターンを多様化することができ且つユニットの組み方の変更およびユニットの追加を可能とすることで建築空間の表現を多様化できるものとし、またアンカーボルトと鉄骨フレームに開けた孔とが合致しないという従来の弊害を無くすことでユニットの組立設置時の作業性を向上させ、しかもユニットの組み変えや追加が容易に行えるものとしたユニットハウス組立構造とこれに使用するアンカーボルト誤差調整金具およびアンカーボルト誤差調整金具を使用したユニットハウス組立構造の設置方法を提供することを目的とする。
【課題を解決するための手段】
【００１０】
上述した課題を解決するため、本発明に係るユニットハウス組立構造にあっては、完成したユニット毎に現場に運搬して設置することを可能としたユニットハウス組立構造であって、直方体骨組構造によるレギュラーユニット、立方体骨組構造によるハーフユニット、矩形骨組構造によるアイパネルユニット、該アイパネルユニットをＬ字状に連結したエルパネルユニットそれぞれをユニットハウス組立構造の構成要素としたものである。
【００１１】
また、前記構成要素として、各ユニットに対し切り離し可能な屋根パネルを含むものとすることができる。
【００１２】
前記構成要素として、エルパネルユニットにアイパネルユニットを連結した複合パネルユニットを含むものとすることができる。
【００１３】
前記構成要素として、円柱体骨組構造による円柱ユニットを含むものとすることができる。
【００１４】
本発明に係るユニットハウス組立構造に使用するアンカーボルト誤差調整金具にあっては、基礎上に植設されたアンカーボルトを任意のガタ付きをもたせて挿通可能とする孔を穿設した座面部と、ユニットハウスの角筒状の柱部分内に任意の隙間を有して挿入可能とし、柱部分の側面に形成された孔を介してボルトをねじ込ませて固定されるようネジ孔を有する挿入筒部とを備えたものとなっている。
【００１５】
本発明に係るユニットハウス組立構造の設置方法にあっては、基礎上に植設されたアンカーボルトを、該アンカーボルトの外径よりも若干大きめとなるように穿設した有底マス状のアンカーボルト誤差調整金具の座面部の孔に挿入し、該アンカーボルト誤差調整金具自体をアンカーボルト位置に対し基礎上で横スライドさせながら座面部を位置決めしてからナットをアンカーボルトにねじ込んでアンカーボルト誤差調整金具を基礎上に締付固定すると共に、レギュラーユニット、ハーフユニット、アイパネルユニット、エルパネルユニットそれぞれを組み合わせることで形成されたユニットハウスの角筒状の柱部分内に、有底マス状のアンカーボルト誤差調整金具の挿入筒部を挿入し、柱部分側面からアンカーボルト誤差調整金具の挿入筒部にかけてボルトをねじ込ませるものとなっている。
【発明の効果】
【００１６】
本発明によれば、ユニットハウスを本設もしくは仮設としての例えば住宅、事務所、店舗、倉庫等に使用する場合において、ユニットによる組み方のパターンを多様化することができ且つユニットの組み方の変更およびユニットの追加を可能とすることで建築空間の表現を多様化できるものとし、またアンカーボルトと鉄骨フレームに開けた孔とが合致しないという従来の弊害を無くすことでユニットの組立設置時の作業性を向上させ、しかもユニットの組み変えや追加が容易且つ迅速に行える。
【００１７】
すなわち、完成したユニット毎に現場に運搬して設置することを可能としたユニットハウス組立構造であって、直方体骨組構造によるレギュラーユニット、立方体骨組構造によるハーフユニット、矩形骨組構造によるアイパネルユニット、該アイパネルユニットをＬ字状に連結したエルパネルユニットそれぞれをユニットハウス組立構造１の構成要素としたので、建築空間の表現を容易に多様化することができる。特に、アイパネルユニットまたはエルパネルユニットを補助的に使用することで、従来では不可能であった組み方が容易に行えるものとなった。
【００１８】
また、前記各ユニットに対し切り離し可能な屋根パネルを含むので、ユニットの組み変えや追加が容易なものとなり、またユニットハウス自体のリサイクルにも貢献することができる。
【００１９】
さらに、前記構成要素として、エルパネルユニットにアイパネルユニットを連結した複合パネルユニットを含むものとしたので、各ユニットの組立設置時の作業性が更に向上するものとなる。
【００２０】
さらにまた、前記構成要素として、円柱体骨組構造による円柱ユニットを含むものとしたので、建築空間の多様化が更に向上する。
【００２１】
本発明に係るユニットハウス組立構造に使用するアンカーボルト誤差調整金具にあっては、基礎上に植設されたアンカーボルトを任意のガタ付きをもたせて挿通可能とする孔を穿設した座面部と、ユニットハウスの角筒状の柱部分内に任意の隙間を有して挿入可能とし、柱部分の側面に形成された孔を介してボルトをねじ込ませて固定されるようネジ孔を有する挿入筒部とを備えたので、アンカーボルトと鉄骨フレームに開けた孔とが合致しないという従来の弊害を無くすことができ、各ユニットの組立設置時の作業性を向上することができるアンカーボルト誤差調整金具を低コストに作製することができる。
【００２２】
また、誤差調整金具はユニット同士の連結、分解が容易であるためユニットの再利用が容易となり、ユニット自身の付加価値を高める。さらに、誤差調整金具は連結部分に発生する軸方向力はもとより、風圧や地震時に発生する水平力、引き抜き力にも充分に抵抗力を発揮する。
【００２３】
本発明に係るユニットハウス組立構造の設置方法にあっては、基礎上に植設されたアンカーボルトを、該アンカーボルトの外径よりも若干大きめとなるように穿設した有底マス状のアンカーボルト誤差調整金具の座面部の孔に挿入し、該アンカーボルト誤差調整金具自体をアンカーボルト位置に対し基礎上で横スライドさせながら座面部を位置決めしてからナットをアンカーボルトにねじ込んでアンカーボルト誤差調整金具を基礎上に締付固定すると共に、レギュラーユニット、ハーフユニット、アイパネルユニット、エルパネルユニットそれぞれを組み合わせることで形成されたユニットハウスの角筒状の柱部分内に、有底マス状のアンカーボルト誤差調整金具の挿入筒部を挿入し、柱部分側面からアンカーボルト誤差調整金具の挿入筒部にかけてボルトをねじ込ませるものとしたので、アンカーボルトと鉄骨フレームに開けた孔とが合致しないという従来の弊害を無くすことができ、各ユニットの組立設置時の作業性を向上することができる。
【００２４】
また、この工法は従来のように単一にユニットを連続させるものではなく、ユニットを多様に連結、積層させることが可能である。例えば、従来のユニット工法では上下階ともに同じ平面しか容易に積層することができないが、当ユニット工法では上下のユニットをずらし、また直交させるユニットの積層、すなわち、レギュラーユニットを半ユニットずらした設置、また直行方向に積層させての設置が可能で住宅のような多様な平面計画を要求される場合において柔軟な計画を可能としている。
【発明を実施するための最良の形態】
【００２５】
以下、図面を参照して本発明を実施するための最良の一形態を説明すると、図において示される符号１は、完成したユニット毎に現場に運搬して設置することを可能としたユニットハウス組立構造であって、該ユニットハウス組立構造１は、直方体骨組構造によるレギュラーユニット２、立方体骨組構造によるハーフユニット３、矩形骨組構造によるアイパネルユニット４、該アイパネルユニット４をＬ字状に連結したエルパネルユニット５の四つをユニットハウス組立構造１の構成要素としている。
【００２６】
すなわち、レギュラーユニット２は、図１（ａ）に示すように、例えば２．６５ｍの長さの四隅の角柱状の柱材６を介して、上下両側に、例えば２．４ｍの長さの４本のコ字型鉄骨フレームおよび４．８ｍの長さの４本のコ字型鉄骨フレームによる梁材７をそれぞれ矩形状に組み込んで溶接することで直方体骨組構造に形成してある。
【００２７】
また、ハーフユニット３は、図１（ｂ）に示すように、例えば２．６５ｍの長さの四隅の角柱状の柱材６を介して、上下両側に、例えば２．４ｍの長さの８本のコ字型鉄骨フレームによる梁材７をそれぞれ矩形状に組み込んで溶接することで立方体骨組構造に形成してある。
【００２８】
また、アイパネルユニット４は、図１（ｃ）に示すように、例えば２．６５ｍの長さの左右の角柱状の柱材６を介して、上下両側に、例えば２．４ｍの長さの２本のコ字型鉄骨フレームによる梁材７をそれぞれ組み込んで溶接することで矩形骨組構造に形成してある。
【００２９】
また、エルパネルユニット５は、図１（ｄ）に示すように、例えば２．６５ｍの長さの３本の角柱状の柱材６を介して、上下両側に、例えば２．４ｍの長さの４本のコ字型鉄骨フレームによる梁材７の各２本をそれぞれＬ字状に組み込んで溶接することで矩形骨組構造に形成してある。
【００３０】
これらの構成要素に加えて、エルパネルユニット５にアイパネルユニット４を連結した複合パネルユニット８を使用しても良い。例えば、図２（ｅ）に示すように、長尺なアイパネルユニット４の両側に短尺なアイパネルユニット４を互いに逆向きにしてＬ字状に連結したものを使用したり、図２（ｆ）に示すように、中央のアイパネルユニット４の両側に、これと同一サイズの２つのアイパネルユニット４を互いに逆向きにしてＬ字状に連結したものを使用することができる。
【００３１】
また、図２（ｇ）に示すように、アイパネルユニット４の一端辺を開放可能としたものを使用しても良い。さらに、図２（ｈ）に示すように、左右一対の角柱状の柱材６を介して、上下側に、環状のコ字型鉄骨フレームによる梁材７をそれぞれ組み込んで溶接することで円柱体骨組構造とした円柱ユニット９を使用しても良い。
【００３２】
そして、上記した各ユニットを現場にて組付けるに際し、図３に示すように、例えばレギュラーユニット２とアイパネルユニット４とを離隔配置させ、これらの上に他のレギュラーユニット２、ハーフユニット３それぞれを連結することで、２階建ての建築空間を表現できるようにしてある。
【００３３】
このような各ユニットを現場にて組付ける場合、図４に示すように、基礎Ｐ上のアンカーボルトＱ位置と下側のレギュラーユニット２の柱材６との接合部（図４中のＡ部）、下側のレギュラーユニット２の柱材６と上側のハーフユニット３の柱材６との接合部（図４中のＢ部）、下側のレギュラーユニット２の梁材７と上側のレギュラーユニット２、ハーフユニット３それぞれの柱材６との接合部（図４中のＣ部）に、有底マス状のアンカーボルト誤差調整金具１０を使用する。
【００３４】
すなわちこのアンカーボルト誤差調整金具１０は、図６に示すように、矩形板面材によって角筒状の挿入筒部１１の一端開口側を塞いで座面部１２とした有底マスとなって形成されており、座面部１２の略中央には、基礎Ｐ上に植設したアンカーボルトＱの外径よりも若干大きい孔１３が例えば穿孔ドリル等により穿設され、また挿入筒部１１の互いに隣接する２側面の略中央にはそれぞれネジ孔１４が螺設してある。
【００３５】
そして、ユニットハウスを基礎Ｐ上に設置固定するに際し、基礎Ｐ上のアンカーボルトＱ位置と下側のレギュラーユニット２の柱材６との接合部（図４中のＡ部）においては、図５または図６に示すように、基礎Ｐ上のアンカーボルトＱを、アンカーボルト誤差調整金具１０の座面部１２の孔１３に挿入し、該アンカーボルト誤差調整金具１０自体をアンカーボルトＱ位置に対し基礎Ｐ上で横スライドさせながら、挿入筒部１１が挿入される角筒状の柱材６側面に形成した孔６Ａと挿入筒部１１のネジ孔１４とが互いに合致するように座面部１２を位置決めしておいてから、ナット１５をアンカーボルトＱにねじ込むことでアンカーボルト誤差調整金具１０を基礎Ｐ上に締付固定するようにしてある。
【００３６】
こうして、図９に示すように、基礎Ｐ上に植設された複数のアンカーボルトＱのうちの１つが規定のマーカーラインＭから外れて例えば許容誤差範囲内で上下左右等にΔｅだけズレた状態であっても、アンカーボルト誤差調整金具１０自体をアンカーボルトＱ位置に対し基礎Ｐ上で横スライドさせることで、挿入筒部１１が挿入される角筒状の柱材６側面に形成した孔６Ａと挿入筒部１１のネジ孔１４とを互いに合致させることができ、これによって各ユニットの角筒状の柱材６内にアンカーボルト誤差調整金具１０の挿入筒部１１を挿入してから、柱材６側面の孔６Ａとアンカーボルト誤差調整金具１０の挿入筒部１１のネジ孔１４とにかけてボルト１６を正確にねじ込ませることができるようにしてある。要するにマーカーラインＭからのアンカーボルトＱ位置のズレをアンカーボルト誤差調整金具１０によって調整するのである。
【００３７】
また、下側のレギュラーユニット２の柱材６と上側のハーフユニット３の柱材６との接合部（図４中のＢ部）においては、図７に示すように、下側のレギュラーユニット２の柱材６の角孔上端が閉塞され、この中心にネジ部を上方に向けて植設されたボルト１７を介してアンカーボルト誤差調整金具１０の座面部１２が固定される。このとき、ボルト１７の位置が柱材６の中心からズレていても、アンカーボルト誤差調整金具１０を横スライドさせることによって、柱材６側面の孔６Ａとアンカーボルト誤差調整金具１０の挿入筒部１１のネジ孔１４とにかけてボルト１６を正確にねじ込ませることができるように座面部１２の位置を適宜調整する。
【００３８】
さらに、下側のレギュラーユニット２の梁材７と上側のレギュラーユニット２、ハーフユニット３それぞれの柱材６との接合部（図４中のＣ部）においては、図８に示すように、下側のレギュラーユニット２の梁材７の上に左右一対のボルト１７をネジ部を上方に向けて植設しておき、このボルト１７をアンカーボルト誤差調整金具１０の座面部１２の孔１３に挿通してナット１５で固定する。そして、これらアンカーボルト誤差調整金具１０の挿入筒部１１に、レギュラーユニット２、ハーフユニット３それぞれの柱材６を互いに隣接した状態で挿入させてから柱材６側面の孔６Ａとアンカーボルト誤差調整金具１０の挿入筒部１１のネジ孔１４とにかけてボルト１６をねじ込ませる。このとき、ボルト１７の位置がズレていても、アンカーボルト誤差調整金具１０を横スライドさせることによって、柱材６側面の孔６Ａとアンカーボルト誤差調整金具１０の挿入筒部１１のネジ孔１４とにかけてボルト１６を正確にねじ込ませることができるように座面部１２の位置を適宜調整する。
【００３９】
また、図１０に示すように、前記各ユニットに対し、例えばフラットルーフ、かたながれ、まねき、きりづま、ほうぎょう、よせむね等の各種形態の屋根パネル１８を切り離し可能となるようにしてある。こうすることで、例えば２連棟のレギュラーユニット２それぞれの上に被せた例えばフラットルーフ状の屋根パネル１８をいったん外してから当該両レギュラーユニット２それぞれの上に他のレギュラーユニット２を連結し、この上側の両レギュラーユニット２上に再び屋根パネル１８を被せることで容易に２階建てに変更することができる。
【００４０】
次に、以上のように構成された最良の形態についてのユニットハウス組立構造１の設置方法について説明すると、先ず、各ユニットを製造する主な作業は工場で行ない、完成したユニット毎に現場に運搬して設置する。そして、アンカーボルト誤差調整金具１０を介して各ユニットを現場にて組付ける。
【００４１】
現場におけるユニットハウス組立構造１の設置に際し、コンクリートの打設によって形成される矩形状の基礎Ｐ上に、図９に示すように、複数のアンカーボルトＱを植設し、該アンカーボルトＱに沿って基礎Ｐ上にマーカーラインＭを予め布置しておく。この場合、往々にして複数のアンカーボルトＱのうち少なくとも１つは該マーカーラインＭから許容誤差範囲内で外れた状態となる場合がある。このとき、ズレたアンカーボルトＱをアンカーボルト誤差調整金具１０の座面部１２の孔１３に挿入し、該アンカーボルト誤差調整金具１０自体をアンカーボルトＱ位置に対し基礎Ｐ上で横スライドさせ、座面部１２の中心がマーカーラインＭ上にくるように位置決めしてからナット１５をアンカーボルトＱにねじ込み基礎Ｐ上に締付け固定する。
【００４２】
このとき、アンカーボルト誤差調整金具１０の座面部１２の孔１３は、アンカーボルトＱの外径よりも若干大きめとなるように設定してあるため、ユニットハウスの柱材６側面の孔６Ａと、アンカーボルト誤差調整金具１０の側面のネジ孔１４とが互いに合致するようにアンカーボルト誤差調整金具１０自体を容易に横スライドさせることができる。そして、座面部１２を位置決めした後、角筒状の柱材６内にアンカーボルト誤差調整金具１０の挿入筒部１１を挿入し、柱材６側面の孔６Ａからアンカーボルト誤差調整金具１０の挿入筒部１１のネジ孔１４にかけてボルト１６をねじ込ませる。
【００４３】
また、下側のレギュラーユニット２の柱材６と上側のハーフユニット３の柱材６との接合部（図４中のＢ部）、下側のレギュラーユニット２の梁材７と上側のレギュラーユニット２、ハーフユニット３それぞれの柱材６との接合部（図４中のＣ部）においても上記と同様にアンカーボルト誤差調整金具１０を使って連結する。こうして、基礎Ｐ上に各ユニットを連結して成るユニットハウスが設置固定される。そしてユニットハウスに、屋根パネル１８と、図示を省略した例えば外壁、内壁、サッシ等の各種建材と、電気配線や浄化排水設備等を取り付ける。
【図面の簡単な説明】
【００４４】
【図１】本発明を実施するための最良の形態における各ユニットを示すもので、（ａ）はレギュラーユニットの斜視図、（ｂ）はハーフユニットの斜視図、（ｃ）はアイパネルユニットの斜視図、（ｄ）はエルパネルユニットの斜視図である。
【図２】同上の各ユニットの他例を示すもので、（ｅ）は複合パネルユニットの一例を示す斜視図、（ｆ）複合パネルユニットの他例を示す斜視図、（ｇ）はアイパネルユニットの他例を示す斜視図、（ｈ）は円柱ユニットの一例を示す斜視図である。
【図３】同じく各ユニットの組み合わせによって形成されたユニットハウスの一例を示す斜視図である。
【図４】同じく各ユニットの組み合わせによって形成されたユニットハウスの一例を示す正面図である。
【図５】同じく各ユニットの組み合わせによって形成されたユニットハウスの一例を示すもので、（ａ）は図４中のＡ部拡大図、（ｂ）は（ａ）のａ−ａ断面図、（ｃ）は（ａ）のｂ−ｂ断面図である。
【図６】図４中のＡ部の分解斜視図である。
【図７】同じく各ユニットの組み合わせによって形成されたユニットハウスの一例を示すもので、（ａ）は図４中のＢ部拡大図、（ｂ）は（ａ）のａ−ａ断面図、（ｃ）は（ａ）のｂ−ｂ断面図である。
【図８】同じく各ユニットの組み合わせによって形成されたユニットハウスの一例を示すもので、（ａ）は図４中のＣ部拡大図、（ｂ）は（ａ）のａ−ａ断面図、（ｃ）は（ａ）のｂ−ｂ断面図である。
【図９】同じく基礎Ｐ上にアンカーボルト誤差調整金具を介してユニットハウスを設置する一例を示すもので、（ａ）はユニットハウスの一部切欠側面図、（ｂ）はユニットハウスの一部切欠平面図、（ｃ）は（ｂ）のＤ部拡大図である。
【図１０】同じく屋根パネルの使用の一例を示し、（ａ）は一階建てのユニットハウスから屋根パネルを外した状態の斜視図、（ｂ）はユニットハウスを２階建てにしてから再度屋根パネルを取り付ける状態の斜視図である。
【符号の説明】
【００４５】
Ｐ    基礎
Ｑ    アンカーボルト
Ｍ    マーカーライン
１    ユニットハウス組立構造
２    レギュラーユニット
３    ハーフユニット
４    アイパネルユニット
５    エルパネルユニット
６    柱材
６Ａ  孔
７    梁材
８    複合パネルユニット
９    円柱ユニット
１０  アンカーボルト誤差調整金具
１１  挿入筒部
１２  座面部
１３  孔
１４  ネジ孔
１５  ナット
１６  ボルト
１７  ボルト
１８  屋根パネル
【図１】
2007120100.tif 000003
【図２】
2007120100.tif 000004
【図３】
2007120100.tif 000005
【図４】
2007120100.tif 000006
【図５】
2007120100.tif 000007
【図６】
2007120100.tif 000008
【図７】
2007120100.tif 000009
【図８】
2007120100.tif 000010
【図９】
2007120100.tif 000011
【図１０】
2007120100.tif 000012